(57)【特許請求の範囲】
【請求項１】
情報信号を重畳した空間光を、凹面鏡を介し反射集光して受光する受光素子を有した反射集光型受光器において、
該凹面鏡の内側の略中央に、該受光素子がその受光面を該凹面鏡の反射面側に向けて配置され、該受光素子の両電極に接続された１対の電極リードは、該凹面鏡の前面中央部から両側に開くように延設されるとともに、該凹面鏡の正面から両側の外側面に沿って直角に曲げられ、且つ側面から背面側に直角に曲げられ、該凹面鏡の背面が回路基板上に固着され、該１対の電極リードの端部が該回路基板上の導電層に接続されることを特徴とする反射集光型受光器。
【請求項２】
前記電極リードが接触する前記凹面鏡の前面、側面、及び背面に沿って溝が形成され、該溝に該電極リードが嵌め込まれることを特徴とする請求項１記載の反射集光型受光器。
【請求項３】
前記凹面鏡はその凹部内に透明合成樹脂が充填され、該凹面鏡の焦点が該凹面鏡の前面中央部より前方に外した位置に設定されたことを特徴とする請求項１または２記載の反射集光型受光器。
【請求項４】
前記受光素子として、青色光を最も高感度で受光する青色光用フォトダイオードが用いられたことを特徴とする請求項１乃至３記載の反射集光型受光器。
【請求項５】
情報信号を重畳した空間光を、凹面鏡を介して反射集光し、受光素子に受光させる反射集光型受光器を備えた空間光通信用受光装置において、
複数の該反射集光型受光器がアレイ状に並設され、各反射集光型受光器は、凹面鏡の前面中央部に該受光素子がその受光面を該凹面鏡の反射面側に向けて配置され、該受光素子の両電極に接続された１対の電極リードが、該凹面鏡の前面中央部から両側に開くように延設されるとともに、該凹面鏡の正面から両側の外側面に沿って直角に曲げられ、且つ側面から背面側に直角に曲げられ、該各反射集光型受光器の該受光素子の電極リードの端部は該凹面鏡の外側面を経て受光回路に接続され、該複数の受光素子が該受光回路の入力側に並列接続されたことを特徴とする空間光通信用受光装置。
【請求項６】
前記複数の反射集光型受光器は前記凹面鏡の背面が１枚の回路基板上に並べて固着され、前記受光素子の１対の電極リードが該回路基板上の導電層に接続されて、該複数の反射集光型受光器がアレイ状に実装されたことを特徴とする請求項５記載の空間光通信用受光装置。
【発明の詳細な説明】
【技術分野】
【０００１】
本発明は、反射集光型受光器及びその反射集光型受光器を使用した空間光通信用受光装置に関し、詳しくは、空間に照射された可視光又は赤外線を使用して通信を行なう空間光通信用の反射集光型受光器、及び複数の反射集光型受光器をアレイ状に配置して、高感度で高速応答性を可能とした空間光通信用受光装置に関する。
【背景技術】
【０００２】
電波を通信媒体とした無線通信は、携帯電話網、無線ＬＡＮ、近距離無線通信など多くの分野で使用されている。
【０００３】
しかし、電波を媒体として使用する無線通信は、人の近くで送受信を行なう場合、電磁波の人体への影響を考慮して、送信電力を上げることができない。また、無線通信に使用される電波の周波数帯域は、既に多くの使用分野において割り振られ、使用されていることもあって、広帯域の周波数帯を自由に使用することはできない。さらに、病院などの特殊な環境下においては、電波の使用に制限が加えられるなどの制約がある。
【０００４】
そこで、近年、可視光を通信媒体として用いる可視光通信が開発され、下記特許文献１などにおいて、可視光通信システムが提案されている。
【先行技術文献】
【特許文献】
【０００５】
【特許文献１】特開２００７−２６６７９４号公報
【特許文献２】特開平１０−３２２２７６号公報
【発明の概要】
【発明が解決しようとする課題】
【０００６】
この種の従来の可視光通信システムでは、通常、受信器側の受光器に、集光レンズを含む光学系を備えた受光素子が使用され、送信器側の投光器から投光された光を光学系で集光し、受光素子に当て、受光信号を出力するようにしている。特に、送信器と受信器の相対的な位置が移動する空間光通信においては、送信器の投光器から照射された光が受信器の受光器に到達する光量が低い場合を考慮して光の集光率を上げるために、集光レンズを含む光学系を大型とする必要があり、受光器の形状が比較的大型化し、特に集光レンズを用いた場合、受光器の厚さ寸法が長くなり、小型化が難しいという問題があった。
【０００７】
一方、リフレクタレンズを受光素子の受光路に配置して、受光器の厚さ寸法を短くした空間光通信用の受光器が特許文献２などで知られている。しかし、この反射集光型の受光器は、リフレクタレンズ内に、凸面鏡と凹面鏡を配置して光学系を構成し、そのリフレクタレンズの背後に受光素子を配置する構成のため、やはり光学系が大型化する問題があった。
【０００８】
また、このような従来の空間光通信装置の受光器は、複数の反射集光型受光器をアレイ状に並設して構成され、各反射集光型受光器の受光素子は、通常、受光回路の基板上に実装されるが、特に複数の受光素子を並列接続して受光回路の増幅部の入力側に接続した場合、各受光素子の１対の電極リードとグランド間に生じる浮遊静電容量が、使用される受光素子の数だけ積算され増大する。このような受光素子のアノードとカソードの電極リードに生じる静電容量の増大は、受光素子の応答速度を低下させ、空間光通信における高速化を阻害する課題があった。
【０００９】
本発明は、上記の点に鑑みなされたもので、高い受光効率を有し小型化の可能な反射集光型受光器を提供すること、及びこの反射集光型受光器を用いて高感度で高速応答性を備えた空間光通信用受光装置を提供することを目的とする。
【課題を解決するための手段】
【００１０】
上記目的を達成するために、本発明の反射集光型受光器は、情報信号を重畳した空間光を、凹面鏡を介し反射集光して受光する受光素子を有した反射集光型受光器において、該凹面鏡の内側の略中央に、該受光素子がその受光面を該凹面鏡の反射面側に向けて配置され、該受光素子の両電極に接続された１対の電極リードは、該凹面鏡の前面中央部から両側に開くように延設されるとともに、該凹面鏡の正面から両側の外側面に沿って直角に曲げられ、且つ側面から背面側に直角に曲げられ、該凹面鏡の背面が回路基板上に固着され、該１対の電極リードの端部が該回路基板上の導電層に接続されることを特徴とする。
【００１１】
この発明によれば、受光素子を凹面鏡の内側に配しているため、凹面鏡つまり受光器本体の厚さ寸法を短くし、反射集光型受光器を非常に小型化することができる。さらに、受光素子の両電極に接続された１対の電極リードは、凹面鏡の前面中央部から両側に開くように延設され、凹面鏡の外側面を経て受光回路の増幅回路等に接続されるため、１対の電極リードと受光回路のグランド間に生じる静電容量を、単純に受光素子をプリアンプ等の入力側に接続した場合に比べ、大幅に減少させることができる。これにより、静電容量に起因した受光素子の応答速度の低下を阻止し、高速応答性を有して空間光による高速通信を実現することができる。
【００１２】
ここで、上記凹面鏡の背面は回路基板上に固着し、且つ受光素子の１対の電極リードはその回路基板上の導電層に接続して、受光器を回路基板上に実装することができる。
【００１３】
この発明によれば、回路基板を含む反射集光型受光器の厚さを薄くするなど、受光器を小型化することができ、さらに、１対の電極リードと回路基板のグランド間に生じる静電容量を、単純に受光素子を回路基板上の受光回路の入力側に接続した場合に比べ、さらに減少させることができ、受光素子の高速応答性を向上させることができる。
【００１４】
さらに、上記凹面鏡は、その凹部内に透明合成樹脂を充填し、凹面鏡の焦点は、凹面鏡の前面中央部より前方に外した位置に設定することができる。
【００１５】
この発明によれば、凹面鏡の凹部つまり反射面の内側が透明合成樹脂によって充填されるので、反射面を保護すると共に、光の屈折率を任意に調整して凹面鏡の焦点位置を容易に任意の位置に設定することができる。また、凹面鏡の焦点を、凹面鏡の前面中央部より前方に外した位置に設定することにより、受光器の凹面鏡に太陽光が入射した際の受光素子の破壊や透明合成樹脂の焼損を防止することができる。
【００１６】
さらに、上記受光素子として、青色光を最も高感度で受光する青色光用フォトダイオードを使用することが好ましい。青色光用フォトダイオードは、黄色光や白色光用のフォトダイオードに比べ、高感度で高速応答性を備えており、送信器の投光器では、高速で動作する青色発光ダイオードの青色光を、黄色の蛍光体に当てて白色光を投光する白色発光ダイオードを使用することができる。このため、送信器から高速化された情報信号を重畳した空間光（青色光を含む白色光）を照明投光した場合、受光器の受光素子はその高速の情報信号を受信し、高速通信を行うことができる。
【００１７】
一方、本発明の空間光通信用受光装置は、情報信号を重畳した空間光を、凹面鏡を介して反射集光し、受光素子に受光させる反射集光型受光器を備えた空間光通信用受光装置において、複数の該反射集光型受光器がアレイ状に並設され、各反射集光型受光器は、凹面鏡の前面中央部に該受光素子がその受光面を該凹面鏡の反射面側に向けて配置され、該受光素子の両電極に接続された１対の電極リードが、該凹面鏡の前面中央部から両側に開くように延設されるとともに、該凹面鏡の正面から両側の外側面に沿って直角に曲げられ、且つ側面から背面側に直角に曲げられ、該各反射集光型受光器の該受光素子の電極リードの端部は該凹面鏡の外側面を経て受光回路に接続され、該複数の受光素子が該受光回路の入力側に並列接続されることを特徴とする。
【００１８】
この発明によれば、複数の受光素子を受光回路のプリアンプなどの入力側に並列接続して入力信号を各受光素子から取り込むため、受光素子の数に応じて受光感度（信号の受信感度）を高感度にすることができ、しかも、各反射集光型受光器の受光素子に生じる静電容量は従来の受光器の受光素子に比べ非常に小さくなるため、受光素子の高速応答性を向上させ、空間光による高速通信を実現することができる。
【００１９】
ここで、上記複数の反射集光型受光器はその凹面鏡の背面を１枚の回路基板上に並べて固着し、且つ受光素子の１対の電極リードはその回路基板上の導電層に接続して、複数の反射集光型受光器を１枚の回路基板上にアレイ状に実装することが好ましい。
【００２０】
この発明によれば、１枚の回路基板に実装された複数の反射集光型受光器の厚さをさらに薄くするなど、受光装置を小型化することができる。また、１対の電極リードと回路基板のグランド間に生じる静電容量を、単純に受光素子を回路基板上のプリアンプなどの入力側に接続した場合に比べ、さらに減少させることができ、受光素子の高速応答性を向上させることができる。
【発明の効果】
【００２１】
本発明の反射集光型受光器によれば、可視光又は赤外線の空間光を高い受光効率で受光できると共に、形状を小型化することができる。さらに、静電容量に起因した受光素子の応答速度の低下を阻止し、高感度で高速応答性を備えた空間光通信用の受光器とすることができる。また、本発明の空間光通信用受光装置によれば、受光素子の数に応じて受光感度（信号の受信感度）を高感度にすることができ、各反射集光型受光器の受光素子に生じる静電容量を小さくして、受光素子の高速応答性を向上させ、空間光による高速通信を実現することができる。
【図面の簡単な説明】
【００２２】
【図１】本発明の実施形態を示す反射集光型受光器の拡大斜視図である。
【図２】図１のII−II断面図である。
【図３】図１のIII−III断面図である。
【図４】複数の反射集光型受光器を回路基板上に実装した状態の正面図である。
【図５】反射集光型受光器を用いた空間光通信用受光装置の回路図である。
【発明を実施するための形態】
【００２３】
以下、本発明の実施形態を図面に基づいて説明する。図１は空間光通信用の反射集光型受光器の斜視図を示し、図２はその拡大断面図を示している。この反射集光型受光器１は、概略的には、図示しない送信器から投光照射された空間光を、凹面鏡２を介し反射集光し、受光素子３により受光する受光器であり、凹面鏡２の内側の略中央に、受光素子３がその受光面３ａを凹面鏡２の反射面２ａ側に向けて配置されて構成される。受光素子３の両電極に接続された１対の電極リード４，５は、凹面鏡２の前面中央部から両側に開くように延設され、凹面鏡２の外側面を経て、回路基板６の受光回路８に接続される。
【００２４】
凹面鏡２は、図１〜図３に示すように、その本体が合成樹脂により略直方体状に形成され、その本体の前面に放物面または楕円面を有した凹部２ｂが形成される。つまり、凹部２ｂの前面（内面）が放物面または楕円面として形成され、その放物面または楕円面には、反射用の金属膜がめっき或いは蒸着により形成され、反射面２ａとなっている。金属膜の材料としては、銀、アルミニウムなどの金属を例示することができる。このように、凹面鏡２は放物面鏡または楕円面鏡とされる。
【００２５】
凹面鏡２は、その正面の縦、横（高さ、幅）の寸法が約８ｍｍ×８ｍｍ、その厚さが約３ｍｍと非常に小型に、合成樹脂と金属めっき又は金属蒸着膜により形成されている。反射集光型受光器１は、受光素子３が凹面鏡２の凹部２ｂの内側に配されるため、凹面鏡２（反射集光型受光器１）の厚さ寸法を短くすることができる。つまり、受光素子３は、例えば長さ約２．８ｍｍ、幅約１．４ｍｍ、高さ約１．１ｍｍと非常に小型に形成されて、凹面鏡２の正面中央部の内側に配置され、このような小型の凹面鏡２と小型の受光素子３の組み合わせにより、反射集光型受光器１は非常に小型化されている。
【００２６】
凹面鏡２の本体は、例えば熱可塑性樹脂などの合成樹脂（例えば、ＰＥＥＫ樹脂、ＰＰＳ樹脂）により直方体状に成形される。凹面鏡２の内側の略中央に、受光素子３がその受光面３ａを凹面鏡２の反射面２ａ側に向けて配置される。受光素子３の１対の電極（アノード電極、カソード電極）には各々電極リード４，５が半田付け或いは導電性接着剤により接続されており、両電極に接続された１対の電極リード４，５は、凹面鏡２の前面中央部から両側に開くように配設される。両電極リード４，５は、凹面鏡２の正面から外側面に沿って直角に曲げられ、さらに電極リード４，５の端部は、凹面鏡２の側面から背面側に直角に曲げられ、両電極リード４、５により凹面鏡２を挟むようにして、受光素子３を凹面鏡２の前面中央部に取り付けている。
【００２７】
このとき、両電極リード４、５が接触する凹面鏡２の本体の前面、側面、背面に沿って溝を形成し、その溝に両電極リード４、５を嵌め込むようにして、凹面鏡２の定位置に、受光素子３及び電極リード４，５を取着し、さらに接着剤により接着することができる。
【００２８】
このような電極リード４，５の端部は、反射集光型受光器１が回路基板６上に実装されたとき、回路基板６上の導電層７（受光回路の入力側）に当接し、リフロー半田などにより結合接続される。１対の電極リード４，５は、凹面鏡２の前面中央部から両側に開くように延設され、凹面鏡２の外側面を経て受光回路８に接続されるため、１対の電極リード４，５と受光回路８のプリアンプ９のグランド間に生じる静電容量は、単純に受光素子をプリアンプ等の入力側に接続した場合に比べ、大幅に減少させている。
【００２９】
なお、凹面鏡２の凹部２ｂ内は空間とすることもできるが、凹面鏡２の前面中央部に受光素子３を取り付けた状態で、凹部２ｂ内に透明合成樹脂（例えばエポキシ樹脂など）を充填して、凹面鏡２の反射面２ａと受光素子３の反射面側の受光面３ａを透明合成樹脂で覆うようにし、これらを保護することが好ましく、また、凹部２ｂ内の透明合成樹脂の充填により、凹面鏡２内の光の屈折率を調整して、凹面鏡２の焦点位置を任意に調整することができる。この凹面鏡２では、その焦点位置を受光素子３より、前方にずらして設定してあり、それにより、凹面鏡２に太陽光が入射した際、受光素子３上で太陽光が焦点を結ばないようにし、太陽熱による受光素子３の破損を防止している。
【００３０】
受光素子３には、シリコン基板上に酸化亜鉛結晶薄膜を形成させ、酸化亜鉛とシリコンをヘテロ接合させた構造の青色光用フォトダイオードが使用される。この青色光用フォトダイオードは、青色の空間光を最も高感度で受光し、高い変換効率で光電変換を行い、且つ高い応答性を有して、受光信号を出力するフォトダイオードである。なお、青色光には通常の青色光にほかに青色レーザー光が含まれ、受光素子３として、例えばＤＶＤ，Ｒ／ＲＷ／−ＲＡＭのレーザー光モニタに使用される青色レーザー光用フォトダイオードを使用することもできる。また、青色光には純粋の青色光と共に青紫色光も含まれ、素子の受光感度のピークが４０５ｎｍ（青紫色の波長）または受光感度のピークが４６０ｎｍ（青色光の波長）となる青色光用フォトダイオードを使用することができる。
【００３１】
このような青色光用フォトダイオードは、具体的には、長さ２．８ｍｍ、幅１．４ｍｍ、高さ１．１ｍｍのパッケージ上に、直径が約０．６ｍｍの大きさの受光面３ａを設けて形成される。通常の白色光用フォトダイオードにおける受光面の直径は、０．２ｍｍ程度であるが、その約３倍の大きさである。したがって、青色光用フォトダイオードは、通常の白色光用フォトダイオードより、遥かに大径の受光部を有しており、このような受光部の大形化により、青色光用フォトダイオードの受光感度は（波長が４０５ｎｍ時）０．２８Ａ／Ｗと高感度になっている。また、青色光用フォトダイオードは、大径の受光部を備える一方、逆バイアス電圧が２Ｖのときの応答速度は、例えば約４００ＭＨｚと非常に高速応答性の良い素子である。
【００３２】
受光面の大きさが通常の白色光用フォトダイオードより遥かに大きい、直径約０．６ｍｍの受光面３ａを有する青色光用フォトダイオードを使用する利点として、凹面鏡２により集光した光の微小な焦点を受光素子３の受光面３ａに当てる必要がなく、焦点位置が多少ずれた状態の光でも高感度で受光することができる。これにより、太陽光などの高エネルギー光が受光素子３上で焦点を結ぶことがなく、熱による受光素子３の損傷を回避することができる。さらに被写界の深度を深くして、送信器の投光器からの距離や位置のずれに対しあまり影響を受けずに、壁などに反射した散乱空間光を効率よく受光することができる。
【００３３】
図４は、上記構成の反射集光型受光器１を用いた空間光通信用受光装置の正面図を示している。ここでは、４個の反射集光型受光器１が、その凹面鏡２の背面を、１枚の矩形の回路基板６上に並べて固着される。各受光素子３の１対の電極リード４，５は、図２、図３のように、その回路基板６上の導電層７に結合して、相互に並列接続され、４個の反射集光型受光器１が１枚の矩形の回路基板６上にアレイ状に実装される。各反射集光型受光器１は直方体形状を有しているので、相互に隙間なくアレイ状に配置し、小型化することができる。
【００３４】
図５は、反射集光型受光器１を用いた空間光通信用受光装置の受光回路８の回路図の一例を示している。図５に示す如く、４個の反射集光型受光器１の各受光素子３（ＰＤ１〜ＰＤ４）は、それらのカソードとアノードが相互に並列接続され、オペアンプＯＰ１を用いたプリアンプ９の入力側に接続される。
【００３５】
一般に、複数の受光素子を並列接続して使用すると、各受光素子のカソードとグランド間、アノードとグランド間に生じる静電容量が大きく、且つその受光素子の数だけ静電容量は積算されるため、受光素子のトータルの静電容量が増大し、この静電容量の増大により、受光素子の応答速度を高速化することができない。
【００３６】
本発明では、上記のように、各反射集光型受光器１において、その受光素子３から導出される電極リード４，５を、両側に開くように配設し、両電極リード４，５の間隔を広くして回路基板６の導電層７（受光回路８のプリアンプ９の入力側）に接続している。このため、各受光素子３のカソードとグランド間及びアノードとグランド間に生じる静電容量を非常に小さくすることができるので、静電容量がその受光素子３の数だけ積算されたとしても、特に受光素子３のアノード側（オペアンプＯＰ１に接続される出力側）の静電容量が最小に抑えられ、受光時の応答性を高速化することができる。
【００３７】
図５に示すように、各受光素子３（ＰＤ１〜ＰＤ４）のカソード側には、逆バイアス電圧回路１１が接続される。この逆バイアス電圧回路１１は、直列接続された３個のダイオード（Ｄ１，Ｄ２，Ｄ３）により定電圧を発生させ、予め設定された逆バイアス電圧を受光素子３（ＰＤ１〜ＰＤ４）に印加して、受光素子３の応答速度を最高値で動作させるようにしている。
【００３８】
また、受光素子３が接続されるオペアンプＯＰ１を用いたプリアンプ９には、受光素子３のアノードがオペアンプＯＰ１の反転入力側に接続され、オペアンプＯＰ１の出力側と反転入力間に、帰還抵抗Ｒｆを設けたフィードバック回路が接続され、トランスインピーダンスアンプによる電流／電圧変換回路を構成している。つまり、このプリアンプ９は、受光素子３の出力電流をオペアンプＯＰ１の反転入力側に入力して、オペアンプＯＰ１の出力に信号電圧を発生させるように動作し、これにより、低雑音特性と広帯域特性の両方を有した増幅回路となっている。
【００３９】
また、４個の受光素子３を並列接続した場合、その受光感度は単純に各受光素子の受光感度の４倍となり、高感度とすることができる。さらに、各受光素子３が接続されるプリアンプ９においては、そのフィードバック回路に接続される帰還抵抗Ｒｆの値を受光素子３の並列接続数に応じて大きくすることができ、この帰還抵抗Ｒｆの値に応じてプリアンプ９のゲインは増加し、信号を効率よく増幅することができる。
【００４０】
図５に示すように、上記プリアンプ９の出力側に、結合コンデンサを介して、後段のアンプ１０が接続される。アンプ１０はオペアンプＯＰ２を有し、オペアンプＯＰ２の非反転入力側にプリアンプ９の出力側が接続され、アンプ１０のオペアンプＯＰ２の出力側が受光回路８の出力部となっている。
【００４１】
上記構成の反射集光型受光器１を用いた空間光通信用受光装置は、例えば散乱空間光を媒体とした無線ＬＡＮシステムの受信器において使用される。
【００４２】
無線ＬＡＮシステムの送信器からは、情報信号が例えばＯＦＤＭ変調されて空間光に重畳され、送信器の投光照明器から散乱空間光として照明投光される。散乱空間光は青色光を含む白色光として、灯具から照明投光され、照明光として照明を行いつつ無線ＬＡＮの送信媒体として送信情報信号を送信する。
【００４３】
灯具の投光素子から照明投光され、情報信号を重畳した空間光は、白色光として照明に使用されるが、その照明光が届く範囲に設置された受信器にはその光が反射集光型受光器１に受光される。反射集光型受光器１の受光素子３は、送信器の灯具から照明投光された空間光を受光すると、受光信号をプリアンプ９により増幅して出力し、さらにその信号はアンプ１０により増幅される。増幅された信号は、図示しないＯＦＤＭ復調器に出力され、復調される。
【００４４】
このとき、反射集光型受光器１の受光素子３として、数百ＭＨＺという高速応答性の青色光用フォトダイオードを使用し、且つ複数の受光素子３を並列接続して高感度とし、さらに各受光素子３の電極リード４，５に生じる静電容量を最小としているので、高速応答性をもって情報信号を受光動作することができる。また、例えば８００ＫＨｚの高周波で変調した送信情報信号を空間光に重畳させて送信する場合、４０次程度の高調波まで群遅延の遅延量を最小にする必要があるが、高感度で数百ＭＨＺという高速応答性の青色光用フォトダイオードを使用することにより、４０次程度の帯域である３２ＭＨｚという広帯域を伝送路に確保することができる。
【００４５】
このように、反射集光型受光器１を用いた空間光通信用受光装置によれば、複数の受光素子３を受光回路８のプリアンプ９などの入力側に並列接続して入力信号を各受光素子３から取り込むため、受光素子３の数に応じて受光感度（信号の受信感度）を高感度にすることができる。各反射集光型受光器１の受光素子３に生じる静電容量は従来の受光器の受光素子に比べ非常に小さくなるため、受光素子３の高速応答性を向上させ、空間光による高速通信を実現することができる。
【００４６】
従来、一般に使用されていたフォトトランジスタなどの受光素子は、その感度や応答速度が低く、特に直接光ではなく間接照明などにより散乱した空間光を受光して信号を受信する散乱空間光通信では、数百ｋＨｚ〜数ＭＨｚという高い周波数で例えばＯＦＤＭ変調された空間光を受光し、そこから忠実度が高く音質や画質などの優れた情報信号を取り出すことは不可能であったが、複数の受光素子３を並列接続して受光感度を増大させると共に、受光素子３の電極リードとグランド間に生じる静電容量を低減させて、受光素子３の高速応答性を向上させたから、そのような高い周波数で変調された空間光を受光し、そこから忠実度の高い情報信号を取り出すことができる。
【００４７】
なお、上記空間光通信用受光装置では、空間光として白色光、青色光などの可視光を使用したが、赤外線（近赤外線）を使用することもできる。この場合、反射集光型受光器には受光素子として赤外線用フォトダイオードを使用することとなる。
【符号の説明】
【００４８】
１      反射集光型受光器
２      凹面鏡
２ａ    反射面
２ｂ    凹部
３      受光素子
３ａ    受光面
４      電極リード
６      回路基板
７      導電層
８      受光回路
９      プリアンプ
【図１】
0005356107.tif 000002
【図２】
0005356107.tif 000003
【図３】
0005356107.tif 000004
【図４】
0005356107.tif 000005
【図５】
0005356107.tif 000006